(57)【要約】【課題】ＨＤＴＶ方式よりも高精細画像を得るために専用撮像素子を用いる方法は、技術的難易度が高く、多額の開発投資が必要である。ＨＤＴＶ方式の撮像素子を用いて高精細画像を得るビデオカメラは、赤信号及び青信号の解像度が緑信号に対して１／２の解像度しか得られない。【解決手段】カメラヘッド１は入射被写体光を２分割して、ＨＤＴＶ方式用の２つの撮像素子に別々に入射して２つの撮像信号を得る。この２つの撮像素子は、互いの画素が水平方向及び垂直方向共に１／２画素ピッチずつ相対的にずらして配置されている。２つの撮像信号を信号処理して得られた２つの分割映像信号は、画素補間装置５により垂直方向に隣接する２画素及び水平方向に隣接する２画素を用いて画素補間され、更に合成されて出力される。記録再生装置９及び１０はＨＤＴＶ方式と同程度の解像度の２つの分割映像信号を別々に記録再生する。【選択図】            図１
2004297139.tif 000002
【特許請求の範囲】
【請求項１】
入射した被写体光学像を２分割する分割手段と、
前記分割手段により２分割された被写体光学像を、互いに独立して３原色光に分解する第１及び第２の色分解光学手段と、
前記第１の色分解光学手段からの第１の３原色光を撮像して第１の撮像信号を出力する、ＨＤＴＶ方式と同程度の画素数の第１の撮像素子と、
前記第１の撮像素子と同一画素数で、かつ、水平方向及び垂直方向共に１／２画素ピッチずつ前記第１の撮像素子の画素に対して画素位置が相対的にずらして配置されており、前記第２の色分解光学手段からの第２の３原色光を撮像して第２の撮像信号を出力する第２の撮像素子と、
前記第１及び第２の撮像素子から出力された前記第１及び第２の撮像信号に対して、互いに独立して所定の信号処理を行って第１及び第２の分割映像信号を出力する第１及び第２の信号処理手段と、
前記第１及び第２の信号処理手段から出力された前記第１及び第２の分割映像信号に対して画素補間を行って合成し、前記ＨＤＴＶ方式の画像よりも高解像度の映像信号を出力する画素補間手段と
を有することを特徴とするビデオカメラ。
【請求項２】
請求項１記載のビデオカメラと、
前記第１の分割映像信号を記録再生する第１の記録再生装置と、
前記第２の分割映像信号を記録再生する第２の記録再生装置と、
前記第１及び第２の記録再生装置を同期運転して、前記第１及び第２の記録再生装置から記録されている前記第１及び第２の分割映像信号を互いに同期再生して前記画素補間手段へ供給する制御装置と
を有することを特徴とする映像記録再生システム。
【発明の詳細な説明】
【０００１】
【発明の属する技術分野】
本発明はビデオカメラ及び映像記録再生システムに係り、特に高品位テレビ方式のＨＤＴＶ（水平１９２０画素×垂直１０８０画素）画像よりも高解像度の映像信号を出力するビデオカメラ及び映像記録再生システムに関する。
【０００２】
【従来の技術】
高品位テレビ方式のＨＤＴＶ画像（水平１９２０画素×垂直１０８０画素）よりも高解像度である、例えば水平４０００画素×垂直２０００画素相当の高解像度の撮像を行う従来の高精細ビデオカメラは、先ず撮像素子の高精細化を行い、その高精細な撮像素子を用いて高速の読み出しクロック周波数により動画像を得ている。この高精細ビデオカメラでは、撮像素子の画素を複数ブロック又は複数ラインに分割して読み出し、相対的に読み出しクロックを下げ、撮像素子及び信号処理回路の負担を軽減する方式も存在するが、複雑で極めて高価な専用システムの開発が必要である。
【０００３】
他方、ＨＤＴＶ方式（ハイビジョン方式）よりも低解像度の標準テレビジョン方式と同程度の画素数である、安価な固体撮像素子を用いて、ＨＤＴＶ画像と同程度の解像度の映像信号を得るように構成したビデオカメラも従来より知られている（例えば、特許文献１、特許文献２参照）。
【０００４】
特許文献１記載の従来のビデオカメラは、標準テレビジョン方式と同程度の画素数の固体撮像素子を４枚用意し、そのうち２枚の固体撮像素子には、被写体からの入射光を２分割し、かつ、波長選択して得られた２つの緑色光をそれぞれ別々に入射し、残りの２枚の固体撮像素子には、被写体からの入射光を波長選択して得た赤色光と青色光とを別々に入射する色分解光学系を有すると共に、上記の緑色光が入射する２枚の固体撮像素子は、光学軸上で垂直方向に画素位置を１画素分ずらして配置する構成とすることで、高解像度を得るビデオカメラである。
【０００５】
また、特許文献２記載の従来のビデオカメラは、被写体からの入射光を３原色光に分離し、Ｒ、Ｇ、Ｂの各原色光を、標準テレビジョン方式のアスペクト比に相当する複数の画素からなり、かつ、互いの垂直方向の画素位置が特定の位置関係となるように配置された複数の個体撮像素子に別々に入射し、これら複数の固体撮像素子の出力原色信号から信号処理手段により標準テレビジョン方式の約２倍の垂直解像度を持ち、かつ、ＨＤＴＶスタジオ規格の水平走査周波数の画像信号を生成する構成である。
【０００６】
更に、特許文献２記載の従来のビデオカメラでは、例えば第１乃至第４の４枚の固体撮像素子を用意し、青色光を受光する第１の固体撮像素子及び赤色光を受光する第２の固体撮像素子の少なくとも一方は、第１及び第２の緑色光を受光する第３及び第４の固体撮像素子のうち第３の固体撮像素子に対し、相対的に少なくとも垂直方向に１／２画素ピッチずらして配置すると共に、第３及び第４の固体撮像素子は相対的に少なくとも垂直方向に１画素ピッチずらした配置した構成である。
【０００７】
【特許文献１】
特開平６−２６９０１０号公報
【特許文献２】
特開平９−１６３３８８号公報
【０００８】
【発明が解決しようとする課題】
しかるに、高精細画像を得るために専用撮像素子の開発を行う方法は、技術的難易度が高く、かつ、多額の開発投資が必要である。また、高精細画像の伝送、記録再生及び編集に専用システムが必要で開発コストの増大を招き、運用上は稼働率が低下するという課題がある。
【０００９】
他方、特許文献１及び特許文献２記載の従来のビデオカメラでは、赤信号及び青信号の解像度が緑信号に対して１／２の解像度しか得られないという問題がある。特に、高精細画像の表示に高精細画像専用プロジェクタを用いる場合、緑信号のみならず、青、赤、緑の３原色信号をすべて等しい解像度で撮影しないとプロジェクタの性能を十分発揮できない。
【００１０】
本発明は以上の点に鑑みなされたもので、安価な構成により高品位テレビ方式のＨＤＴＶ画像（水平１９２０画素×垂直１０８０画素）よりも高解像度で、青、赤、緑の３原色信号がすべて等しい解像度で被写体を撮像した映像信号を得ることができるビデオカメラ及び映像記録再生システムを提供することを目的とする。
【００１１】
【課題を解決するための手段】
上記目的を達成するため、本発明のビデオカメラは、入射した被写体光学像を２分割する分割手段と、分割手段により２分割された被写体光学像を、互いに独立して３原色光に分解する第１及び第２の色分解光学手段と、第１の色分解光学手段からの第１の３原色光を撮像して第１の撮像信号を出力する、ＨＤＴＶ方式と同程度の画素数の第１の撮像素子と、第１の撮像素子と同一画素数で、かつ、水平方向及び垂直方向共に１／２画素ピッチずつ第１の撮像素子の画素に対して画素位置が相対的にずらして配置されており、第２の色分解光学手段からの第２の３原色光を撮像して第２の撮像信号を出力する第２の撮像素子と、第１及び第２の撮像素子から出力された第１及び第２の撮像信号に対して、互いに独立して所定の信号処理を行って第１及び第２の分割映像信号を出力する第１及び第２の信号処理手段と、第１及び第２の信号処理手段から出力された第１及び第２の分割映像信号に対して画素補間を行って合成し、ＨＤＴＶ方式の画像よりも高解像度の映像信号を出力する画素補間手段とを有する構成としたものである。
【００１２】
この発明では、ＨＤＴＶ方式と同程度の画素数で、かつ、水平方向及び垂直方向共に１／２画素ピッチずつ画素位置が相対的にずらして配置された第１及び第２の撮像素子に、２分割した被写体光学像を別々に入射して第１及び第２の撮像信号を得て信号処理手段を通して第１及び第２の分割映像信号に変換した後、画素補間及び合成して映像信号を出力するようにしたため、ＨＤＴＶ方式画像よりも高精細の映像信号を出力することができる。
【００１３】
また、上記の目的を達成するため、本発明の及び映像記録再生システムは、上記の構成のビデオカメラと、第１の分割映像信号を記録再生する第１の記録再生装置と、第２の分割映像信号を記録再生する第２の記録再生装置と、第１及び第２の記録再生装置を同期運転して、第１及び第２の記録再生装置から記録されている第１及び第２の分割映像信号を互いに同期再生して画素補間手段へ供給する制御装置とを有する構成としたものである。
【００１４】
この発明では、ＨＤＴＶ方式と同等の解像度の第１及び第２の分割撮像信号を記録再生する安価なＨＤＴＶ方式用の第１及び第２の記録再生装置から再生した第１及び第２の分割撮像信号を画素補間及び合成して高精細の映像信号を出力することができる。
【００１５】
【発明の実施の形態】
次に、本発明の実施の形態について図面と共に説明する。図１は本発明になるビデオカメラ及び映像記録再生システムの一実施の形態のブロック図を示す。同図において、カメラヘッド１は、後述する構成により被写体から入射された光学像を２分割して得た分割光学像を、相互に斜め画素ずらしを行った独立した２系統の３板式プリズム色分解光学系により赤（Ｒ）、緑（Ｇ）及び青（Ｂ）の三原色光に分解し、走査線構成が標準のＨＤＴＶ信号（水平１９２０画素×垂直１０８０画素）に対応した２次元センサを使用してそれぞれ撮像し、ＨＤＴＶ画像と同等の解像度の三原色信号に基づいて生成された映像信号のディジタルデータを２系統発生する。
【００１６】
カメラ制御装置２は、カメラヘッド１の各種制御を行う。カメラヘッド１により発生された２系統のディジタルデータは、それぞれ同軸ケーブルあるいは光ファイバ３及び４を介して画素補間装置５に供給される。それぞれ水平方向に１９２０画素、垂直方向に１０８０画素の２系統のディジタルデータは、画素補間装置５により画素補間され、水平方向に３８４０（＝１９２０×２）画素、垂直方向に２１６０（＝１０８０×２）画素の高精細映像信号に変換される。
【００１７】
この高精細映像信号は、水平方向４０００画素、垂直方向２０００画素が投射可能な高精細映像信号プロジェクタ６に出力され、プロジェクタ映像としてスクリーンに投射される。また、カメラヘッド１から画素補間装置５に入力されたＨＤＴＶ画像と同等の解像度の２系統の映像信号のディジタルデータは、画素補間装置５をバイパスしてそのまま同軸ケーブルあるいは光ファイバ７及び８を介してＨＤＤまたはＶＴＲにより構成された記録再生装置９及び１０に供給され、ここで互いに独立して並行して記録される。
【００１８】
記録再生機制御装置１１は２台の記録再生装置９及び１０の制御を行う。記録再生装置９及び１０は、記録再生機制御装置１１により相互に同期運転されているので、再生時においても同期のとれた２系統のＨＤＴＶ画像と同等の解像度の映像信号（ＨＤＴＶ映像信号）が出力できる。記録再生装置９及び１０により同期して再生された２系統のＨＤＴＶ映像信号は、同軸ケーブルあるいは光ファイバ７及び８を介して画素補間装置５に供給され、ここで画素補間されてＨＤＴＶ画像の２倍の解像度の高精細映像信号に変換された後、高精細プロジェクタ６に供給される。これにより、プロジェクタ映像としてスクリーンに高解像度画像が投射される。
【００１９】
次に、図１の各部の構成と動作について更に詳細に説明する。図２は図１中のカメラヘッド１の一実施の形態のブロック図を示す。図２において、カメラヘッド１は、テーキングレンズ１２を介して被写体からの入射光が入射される。テーキングレンズ１２は、被写体の像を取り込むための高解像度レンズである。このテーキングレンズ１２で得られた、被写体からの入射光の光束はカメラヘッド１内の平行配置リレーレンズ光学系１３により波長に依存することなく２本の光束に分割され、それぞれ第一系統プリズム光学系１４ａと、第二系統プリズム光学系１５ａに入射する。
【００２０】
第一系統プリズム光学系１４ａと、第二系統プリズム光学系１５ａは、それぞれ入射光を三原色光に分解する色分解光学系であり、色分解した三原色光を第一の撮像素子１４ｂ、第二の撮像素子１５ｂに互いに独立して入射する。これらの撮像素子１４ｂ及び１５ｂは、それぞれ３枚のＨＤＴＶ用の固体撮像素子（例えば、ＣＣＤあるいはＣＭＯＳ）からなる。
【００２１】
図３は上記のテーキングレンズ１２から撮像素子１４ｂ、１５ｂまでの光学系の構成図を示す。同図中、図２と同一構成部分には同一符号を付してある。図３において、平行配置リレーレンズ光学系１３は、ダイクロイックミラー１３１と、全反射ミラー１３２とからなり、テーキングレンズ１２を透過して入射した光学像を、ダイクロイックミラー１３１により２つの光束に分割し、一方の光束はダイクロイックミラー１３１を透過して第一系統プリズム光学系１４ａに入射し、他方の光束はダイクロイックミラー１３１で反射された後、全反射ミラー１３２に入射し、さらにここで全反射されて光束の方向が９０°変えられて第二系統プリズム光学系１５ａに入射する。
【００２２】
第一系統プリズム光学系１４ａと撮像素子１４ｂ、及び第二系統プリズム光学系１５ａと撮像素子１５ｂは、それぞれ同一構成であり、例えば図４に示す構成とされている。同図において、第一及び第二系統プリズム光学系１４ａ及び１５ａは、入射光から青色（Ｂ）光成分を取り出すためのＢプリズム３１と、Ｂプリズム３１からダイクロイック膜３２を透過した光から赤色（Ｒ）光成分を取り出すためのＲプリズム３３と、Ｒプリズム３３からダイクロイック膜３４を透過した光から緑色（Ｇ）光を取り出すためのＧプリズム３５とからなる。
【００２３】
また、撮像素子１４ｂ（１５ｂ）は、Ｂプリズム３１からダイクロイック膜３２及びＢプリズム３１の入射面でそれぞれ反射されて取り出された青色光が入射される青色光用固体撮像素子３６Ｂと、ダイクロイック膜３４及びＲプリズム３３の入射面でそれぞれ反射されて取り出された赤色光が入射される赤色光用固体撮像素子３６Ｒと、Ｇプリズム３５を透過した緑色光が入射される緑色光用固体撮像素子３６Ｇとからなる。
【００２４】
固体撮像素子３６Ｂ、３６Ｒおよび３６Ｇは、それぞれＣＣＤ又はＣＭＯＳにより構成されており、例えば水平方向１９２０画素、垂直方向１０８０画素からなる２次元撮像領域を備えたＨＤＴＶ用撮像素子である。また、撮像素子１４ｂを構成する３枚の固体撮像素子３６Ｂ、３６Ｒおよび３６Ｇと、撮像素子１５ｂを構成する３枚の固体撮像素子３６Ｂ、３６Ｒおよび３６Ｇとは、互いに水平方向及び垂直方向共に画素ピッチの１／２だけずらして（これを、１／２の斜め画素ずらしというものとする）機械的に精密に配置されている。なお、ＨＤＴＶ用の撮像素子では画素ピッチは通常５μｍなので、この場合２．５μｍが１／２画素ピッチに相当する。
【００２５】
これにより、垂直方向では撮像素子１４ｂの各ラインの間に、撮像素子１５ｂの各ラインが位置することにより、全体としてライン数がＨＤＴＶ方式の２倍となり、ＨＤＴＶ方式の垂直解像度の約２倍の垂直解像度を得ることができる。また、水平方向では撮像素子１４ｂの各画素の間に、撮像素子の各画素が位置することになり、全体として水平方向の画素数が約２倍となり、水平解像度を約２倍に向上することができる。
【００２６】
再び図２に戻って説明するに、撮像素子１４ｂを構成する３枚のＨＤＴＶ用固体撮像素子から並列に取り出されたＨＤＴＶ画像と同等の解像度を有する第一の三原色信号は、第一のプロセス回路１６に供給され、これと同時に、撮像素子１５ｂを構成する３枚のＨＤＴＶ用固体撮像素子から並列に取り出されたＨＤＴＶ画像と同等の解像度を有する第二の三原色信号は、第二のプロセス回路１７に供給される。
【００２７】
上記のプロセス回路１６及び１７は、入力された三原色信号に対して、ガンマ補正、ブラックレベル補正など通常の３板式カメラと同様なプロセス処理を行う。第一のプロセス回路１６と第二のプロセス回路１７は基本的に等価な動作を行うが、２系統の光学系１４ａ及び１５ａと撮像素子１４ｂ及び１５ｂのばらつきを補正するため、第二のプロセス回路１７は補正用のテーブルにより補正値を中央処理装置（ＣＰＵ）２０により与えられる。同期信号発生器（ＳＳＧ）２１はカメラの同期信号発生器で、同期信号をプロセス回路１６及び１７に供給する。ＰＳ２２は各部に必要な直流電圧を供給する電源装置である。
【００２８】
ここで、上記の第一のプロセス回路１６と第二のプロセス回路１７の基本構成は同一であり、例えば図５のブロック図に示す如き構成とされている。同図において、図２及び図４と同一構成部分には同一符号を付してある。図５において、Ｒ撮像素子（赤色用固体撮像素子）３６Ｒ、Ｇ撮像素子（緑色用固体撮像素子）３６Ｇ、Ｂ撮像素子（青色用固体撮像素子）３６Ｂからそれぞれ取り出された、Ｒ信号、Ｇ信号、Ｂ信号は、黒レベル補正回路４１Ｒ、４１Ｇ、４１Ｂに供給されて黒レベルが所定のレベルに補正された後、ガンマ補正回路４２Ｒ、４２Ｇ、４２Ｂに供給されて公知のガンマ補正が行われる。
【００２９】
更に、ガンマ補正回路４２Ｒ、４２Ｇ、４２Ｂから取り出されたＲ信号、Ｇ信号、Ｂ信号は、ニー補正回路４３Ｒ、４３Ｇ、４３Ｂに供給されて公知のニー補正された後、マトリクス回路４４に共通に供給されて所定のマトリクス演算式に基づき輝度信号（Ｙ信号）と２種類の色差信号Ｒ−Ｙ及びＢ−Ｙに変換されて出力される。なお、黒レベル補正回路４１Ｒ、４１Ｇ、４１Ｂと、ガンマ補正回路４２Ｒ、４２Ｇ、４２Ｂと、ニー補正回路４３Ｒ、４３Ｇ、４３Ｂは、ＣＰＵ２０からの制御信号に基づいて、補正動作を行う。
【００３０】
再び図２に戻って説明するに、第一の系統のプロセス回路１６から取り出された映像信号（図５の例ではＹ信号とＲ−Ｙ信号とＢ−Ｙ信号）と、第二の系統のプロセス回路１７から取り出された映像信号（図５の例ではＹ信号とＲ−Ｙ信号とＢ−Ｙ信号）は、それぞれＨＤＴＶ画像と同じ解像度のＨＤＴＶ映像信号であり、それぞれインターフェース回路１８、１９に供給されて所定の信号形態に変換された後、相互に同期して外部に出力される。ここで、上記の信号形態としては、インターフェース回路１８、１９の構成により、ＳＤＩ（シリアルディジタルインターフェース）信号やパラレルディジタル信号、アナログ信号などがある。
【００３１】
このようにして、カメラヘッド１から出力されたそれぞれ水平方向に１９２０画素、垂直方向に１０８０画素の２系統の映像信号（ディジタルデータ）は、図１の画素補間装置５により画素補間され、前述したように、水平方向に３８４０（＝１９２０×２）画素、垂直方向に２１６０（＝１０８０×２）画素の高精細映像信号に変換される。
【００３２】
この画素補間装置５による画素補間動作について、図６と共に更に詳細に説明する。図６において、ＡＮ、ＡＮ＋１は、２：１インタレース走査におけるカメラヘッド１内のインターフェース回路１８から出力される第一のＨＤＴＶ映像信号（ディジタルデータ）Ａの第１フィールドのＮ本目とＮ＋１本目の走査線であり、ＢＮ、ＢＮ＋１、ＢＮ＋２は２：１インタレース走査におけるカメラヘッド１内のインターフェース回路１９から出力される第二のＨＤＴＶ映像信号（ディジタルデータ）Ｂの第２フィールドのＮ本目、Ｎ＋１本目、Ｎ＋２本目の走査線であり、図６は第１フィールド走査時における画素補間の様子を示している。
【００３３】
図６の第１フィールドの走査線上にある黒丸ａｎ，１、ａｎ，２、・・・は走査線ＡＮ上の撮像素子１４ｂの画素を示し、黒丸ａｎ＋１，１、ａｎ＋１，２、・・・は走査線ＡＮ＋１上の撮像素子１４ｂの画素を示す。同様に、図６の第２フィールドの走査線上にあるハッチングを付した丸ｂｎ，１、ｂｎ，２、・・・は走査線ＢＮ上の撮像素子１５ｂの画素を示し、丸ｂｎ＋１，１、ｂｎ＋１，２、・・・は走査線ＢＮ＋１上の撮像素子１５ｂの画素を示し、丸ｂｎ＋２，１、ｂｎ＋２，２、・・・は走査線ＢＮ＋２上の撮像素子１５ｂの画素を示す。
【００３４】
前述したように、撮像素子１４ｂの画素と、撮像素子１５ｂの画素は垂直方向及び水平方向にそれぞれ１／２画素ピッチ（２．５μｍ）ずらした１／２斜め画素ずらしの配置とされているため、図６に示すように、第１フィールドの走査線上の画素位置と、第２フィールドの走査線上の画素位置とは、水平方向及び垂直方向共に１／２画素分ずれて配置されている。
【００３５】
画素補間装置５はこれら入力ＨＤＴＶ映像信号Ａ及びＢのうち、第１フィールド走査時は、ＨＤＴＶ映像信号Ａの同一の第１の走査線上の水平方向に隣接する２個の画素（例えば、ａｎ，１とａｎ，２）と、上記第１の走査線に隣接するＨＤＴＶ映像信号Ｂの２本の走査線上の垂直方向に隣接する２個の画素（例えば、ｂｎ，１とｂｎ＋１，１）の計４個の画素の信号値の平均値を、第１の走査線上の補間画素（上記の例の場合、ｃｎ，１）として生成する。
【００３６】
第２フィールド走査時も上記と同様に、ＨＤＴＶ映像信号Ｂの同一の第２の走査線上の水平方向に隣接する２個の画素と、上記第２の走査線に隣接するＨＤＴＶ映像信号Ａの２本の走査線上の垂直方向に隣接する２個の画素の計４個の画素の信号値の平均値を、第２の走査線上の補間画素として生成する。
【００３７】
このように、２系統のＨＤＴＶ映像信号Ａ及びＢを用いて画素補間装置５で水平及び垂直方向にそれぞれ隣接する４個の画素から１個の補間画素を生成するリアルタイムの画素補間を行うことにより、ＨＤＴＶ画像の水平方向及び垂直方向の画素の２倍の、水平方向３８４０画素、垂直方向２１６０画素相当の高精細画像信号を得ることができる。
【００３８】
このように、本実施の形態によれば、画素補間装置５で補間して得られた３８４０画素×２１６０画素相当の高精細画像信号は、Ｒ、Ｇ及びＢの３原色信号をすべて等しい解像度で生成した画像信号であるので、高精細プロジェクタ６によりプロジェクタの性能を十分発揮した高精細画像をスクリーン上に表示させることができる。
【００３９】
また、本実施の形態によれば、画素補間装置５をバイパスして同軸ケーブル又は光ケーブル７、８上を伝送される２系統の映像信号は標準ＨＤＴＶ映像信号となっているので、ＨＤＴＶ用の伝送装置、伝送チャンネルを２系統用いて伝送することが可能である。
【００４０】
また、本実施の形態では、記録再生機制御装置１１により同期運転を行う２台の映像記録再生装置９、１０を用いることで、ＨＤＴＶ映像信号の記録が可能であり、再生の場合は同期運転した２台の映像記録再生装置９、１０の出力ＨＤＴＶ映像信号を、カメラヘッド１からの映像信号と同じく画素補間装置５に加えて画素補間を行うことでＨＤＴＶ画像の２倍の解像度の高精細映像信号の出力が可能となる。
【００４１】
更に、本実施の形態では、記録再生装置９及び１０に記録された一方の系統の映像信号は通常のＨＤＴＶ映像信号であるので、ＨＤＴＶ用の編集機材で編集できる。そして、このときの編集の過程で決定された編集点情報をもとに他方の系統のＨＤＴＶ映像信号も編集することにより、高精細映像信号の編集がＨＤＴＶ用の編集機材をそのまま用いて可能となる。また、どちらか１系統のＨＤＴＶ映像信号をそのまま使用することにより、ＨＤＴＶ映像信号のプログラムが得られるので、高精細映像信号とＨＤＴＶ映像信号が同時に得られる。
【００４２】
なお、本発明は上記の実施の形態に限定されるものではなく、例えばカメラヘッド１、カメラ制御装置２、画素補間装置５、記録再生装置９及び１０、記録再生機制御装置１１などは個別に設けなくとも、これらを組み合わせた装置としたり、いくつかの装置に集約したりといった構成上の変更は適宜行えるものである。また、上記の実施の形態では、画素補間は補間画素の周囲の４画素から補間するように説明したが、これに限らず周囲の８画素の平均値をとるなど、他の公知の補間方法の適用も可能である。
【００４３】
【発明の効果】
以上説明したように、本発明によれば、ＨＤＴＶ方式と同程度の画素数で、かつ、水平方向及び垂直方向共に１／２画素ピッチずつ画素位置が相対的にずらして配置された第１及び第２の撮像素子に、２分割した被写体光学像を別々に入射して第１及び第２の撮像信号を得て信号処理手段を通して第１及び第２の分割映像信号に変換した後、画素補間及び合成して映像信号を出力することで、ＨＤＴＶ方式画像よりも高精細の映像信号を出力するようにしたため、従来からのＨＤＴＶ用カメラプロセス回路及び同期信号回路をそのまま使用でき、この部分の新規開発が不要であり、開発期間の短縮が可能で、高精細の動画映像信号を容易に得る事ができる。
【００４４】
また、本発明によれば、画素補間して得られた高精細映像信号は、３原色信号をすべて等しい解像度で生成した画像信号であるので、高精細プロジェクタによりプロジェクタの性能を十分発揮した高精細画像をスクリーン上に表示させることができる。
【００４５】
更に、本発明によれば、ＨＤＴＶ方式と同等の解像度の第１及び第２の分割撮像信号を記録再生する安価なＨＤＴＶ方式用の第１及び第２の記録再生装置から再生した第１及び第２の分割撮像信号を画素補間及び合成して高精細の映像信号を出力するようにしたため、これまで十分信頼性が実証されたＨＤＴＶ伝送システムを２チャンネル用いた伝送が可能となるので、容易に低コスト高信頼性の記録再生が実現できる。
【図面の簡単な説明】
【図１】本発明の一実施の形態のブロック図である。
【図２】図１中のカメラヘッドの一実施の形態のブロック図である。
【図３】図２中の平行配置リレーレンズ光学系の一例の構成図である。
【図４】図２中の第一系統及び第二系統プリズム光学系と撮像素子の一例の構成図である。
【図５】図２中のプロセス回路の一例のブロック図である。
【図６】図１中の画素補間装置による画素補間動作の説明図である。
【符号の説明】
１  カメラヘッド
２  カメラ制御装置
５  画素補間装置
６  高精細プロジェクタ
９、１０  記録再生装置
１１  記録再生機制御装置
１３  平行配置リレーレンズ光学系
１４ａ  第一系統プリズム光学系
１４ｂ、１５ｂ  撮像素子
１５ａ  第二系統プリズム光学系
１６、１７  プロセス回路
１８、１９  インターフェース回路
２０  中央処理装置（ＣＰＵ）
３６Ｒ  赤色光用固体撮像素子
３６Ｇ  緑色光用固体撮像素子
３６Ｂ  青色光用固体撮像素子
【図１】
2004297139.tif 000003
【図２】
2004297139.tif 000004
【図３】
2004297139.tif 000005
【図４】
2004297139.tif 000006
【図５】
2004297139.tif 000007
【図６】
2004297139.tif 000008